(57)【要約】【課題】装置を手動で制御するための制御装置（１）を提供する。【解決手段】装置（１）は、回転ノブ（２）と、この回転ノブ（２）に連結された、少なくとも一つの第１の割出プロファイル（４）及び少なくとも一つの第２の割出プロファイル（５）並びに少なくとも一つの非割出プロファイル（６）を持つキャリア（３）と、プランジャー（７）と、少なくとも一つの第１の移動可能な割出装置（８）と、少なくとも一つの第２の移動可能な割出装置（９）とを備え、割出装置（８）及び割出装置（９）により、割出プロファイル（４）及び割出プロファイル（５）に関して個別の割出位置が得られる。【選択図】図２
2016136389.tif 000002
【特許請求の範囲】
【請求項１】
装置を手動で制御するための制御装置（１）において、
回転ノブ（２）と、
回転ノブ（２）に連結された、少なくとも一つの第１の割出プロファイル（４）及び少なくとも一つの第２の割出プロファイル（５）並びに少なくとも一つの非割出プロファイル（６）を有するキャリア（３）と、
プランジャー（７）と、
少なくとも一つの第１の移動可能な割出装置（８）と、
少なくとも一つの第２の移動可能な割出装置（９）とを備え、
割出装置（８）及び割出装置（９）により割出プロファイル（４）及び割出プロファイル（５）に関し、個別の割出位置が得られる、
制御装置。
【請求項２】
請求項１に記載の制御装置において、
キャリア（３）は、少なくとも一つの更なる非割出プロファイル（６）を有することを特徴とする、
制御装置。
【請求項３】
請求項１に記載の制御装置において、
第１の移動可能な割出装置（８）及び第２の移動可能な割出装置（９）は、垂直方向に移動可能な構成要素（１０）に配置されていることを特徴とする、
制御装置。
【請求項４】
請求項１又は２に記載の制御装置において、
第１の移動可能な割出装置（８）及び第２の移動可能な割出装置（９）は、互いに対し、ある角度に配置されていることを特徴とする、
制御装置。
【請求項５】
請求項１又は２に記載の制御装置において、
第１の移動可能な割出装置（８）及び第２の移動可能な割出装置（９）は、互いに対し、基本的に平行に配置されていることを特徴とする、
制御装置。
【請求項６】
請求項１又は２に記載の制御装置において、
第１の移動可能な割出装置（８）及び第２の移動可能な割出装置（９）は、少なくとも一つの別の割出プロファイル（６０、６１、６２）と関連することを特徴とする、
制御装置。
【請求項７】
請求項１から６までのうちのいずれか一項に記載の制御装置において、
第１の移動可能な割出装置（８）及び第２の移動可能な割出装置（９）は、ばね装置（１１、１２）に取り付けられていることを特徴とする、
制御装置。
【請求項８】
請求項１から７までのうちのいずれか一項に記載の制御装置において、
前記割出プロファイル（４）は、戻り止めの輪郭（４１）の形状で形成されていることを特徴とする、
制御装置。
【請求項９】
請求項１から８までのうちのいずれか一項に記載の制御装置において、
前記割出プロファイル（５）は、戻り止めの輪郭（５１）の形状で形成されていることを特徴とする、
制御装置。
【請求項１０】
請求項１から９までのうちのいずれか一項に記載の制御装置において、
少なくとも一つの別の割出プロファイル（６０）は、戻り止め構造（６１）の形状で形成されていることを特徴とする制御装置。
【請求項１１】
請求項１から１０までのうちのいずれか一項に記載の制御装置において、
割出プロファイル（４）及び割出プロファイル（５）は、戻り止めの輪郭（４１）及び戻り止めの輪郭（５１）の形状で形成されていることを特徴とする、
制御装置。
【請求項１２】
請求項１から１１までのうちのいずれか一項に記載の制御装置において、
割出プロファイル（４）、割出プロファイル（５）及び割出プロファイル（６０）は、戻り止めの輪郭（４１）、戻り止めの輪郭（５１）及び戻り止めの輪郭（６１）の形状で形成されていることを特徴とする、
制御装置。
【請求項１３】
請求項１から１２までのうちのいずれか一項に記載の制御装置において、
割出プロファイル（４）の戻り止めの輪郭（４１）及び割出プロファイル（５）の戻り止めの輪郭（５１）は異なる形状に形成されていることを特徴とする、
制御装置。
【請求項１４】
請求項１から１３までのうちのいずれか一項に記載の制御装置において、
垂直方向に移動可能な構成要素（１０）は、回転的に固定された態様で配置されていることを特徴とする、
制御装置。
【請求項１５】
請求項１から１４までのうちのいずれか一項に記載の制御装置において、
戻り止めの輪郭（４１）及び／又は戻り止めの輪郭（５１）は、制御装置の使用時に、これらの輪郭により異なる触覚が生じるように形成されていることを特徴とする、
制御装置。
【請求項１６】
請求項１から１５までのうちのいずれか一項に記載の制御装置において、
一つの割出位置において、
第２の移動可能な割出装置（９）は、非割出プロファイル（６）上で自由に移動することができるが、
第１の割出プロファイル（４）及び戻り止めの輪郭（４１）を一方とし、第１の移動可能な割出装置（８）とを他方として、これらの間の割出位置が係合することを特徴とする、
制御装置。
【請求項１７】
請求項１から１６までのうちのいずれか一項に記載の制御装置において、
一つの割出位置において、
一方において、第２の移動可能な割出装置（９）は、割出プロファイル（５）及び前記戻り止めの輪郭（５１）と、割出位置にあるが、
他方において、第１の割出プロファイル（４）及び戻り止めの輪郭（４１）と、第１の移動可能な割出装置（８）との間の割出位置の係合が外れることを特徴とする、
制御装置。
【請求項１８】
請求項１から１７までのうちのいずれか一項に記載の制御装置において、
キャップ（２１）を手動で作動することにより、リニアアクチュエーター（１４）を作動する接触スイッチ（１３）が設けられており、
リニアアクチュエーター（１４）は、割出位置を変化させるために、垂直方向に移動可能な構成要素（１０）を垂直方向に移動することを特徴とする、
制御装置。
【発明の詳細な説明】
【技術分野】
【０００１】
本発明は、装置を手動で制御するための制御装置において、回転ノブと、この回転ノブに連結された、少なくとも一つの第１の割出プロファイル及び少なくとも一つの第２の割出プロファイル及び少なくとも一つの非割出プロファイルを持つキャリアと、プランジャーと、並びに少なくとも一つの第１の移動可能な割出装置及び少なくとも一つの第２の移動可能な割出装置とを含み、前述の割出装置により、第１及び第２の割出プロファイルに関して個別の割出位置が得られる装置に関する。
【背景技術】
【０００２】
装置を手動で制御するための制御装置は、特に、自動車の分野で知られている。このような制御装置は、しばしば、自動車のセンターコンソールの領域に配置されている。こうした装置は、様々な機能、例えば、ナビゲーションシステム、ラジオ、インターネット・アプリケーション、音楽装置の制御に使用することができる。
【０００３】
制御装置がその基礎とする、又は制御装置に作用を及ぼす、前述の機能の電気的、電子的及び／又はソフトウェアによる制御は、一般的に知られている。
【０００４】
多くの場合、このような制御装置の中央には、垂直方向の軸線を中心として回転可能なノブが配置されており、ノブは、四つの方向に向きを変えることができ、垂直方向の軸線に沿って下方に押すことができるが、これにより、ノブの回転移動と組み合わせて、様々な割出位置を選択することができる。
【０００５】
様々な試みが、従来技術において、このような制御装置の触覚に影響を及ぼし、制御装置を手動で作動することから生じる様々な作動位置が選択され、実現されていることについてのフィードバックを使用者に与えるために、なされてきた。しかしながら、この点に関して提案された技術的な解決方法は、全て、非常に複雑であり、故障しやすく、そして製造に費用がかかる。さらに、これらの解決方法は、しばしば、これらの制御装置の使用を使用者にとって容易なものにするどころか、複雑であるために、使用者に対し過大な要求をすることになる。
【０００６】
例えば、ＤＥ  １００  ２９  １９１  Ａ１には、電子制御式液体回転ノブが、触覚制御エレメントとして、開示されている。回転ノブは、磁気流動性の液体中で作動する。粘度が磁界により制御される。磁界による制御に応じて、様々な戻り止め位置が実現する。このような制御装置の構造は非常に複雑であり、複雑な制御技術を必要とし、そして、製造に費用がかかる。
【０００７】
また、ＷＯ２０１３／０６８４８２  Ａ２には、車輛装置を手動で制御するための車輛制御装置が開示されており、それは、少なくとも一つの回転ノブと、回転ノブに連結された、回転ノブと共通の回転軸線に回転可能取り付けられた少なくとも一つの歯車とを含み、更に、歯車の少なくとも一つの歯と関連し、歯車の回転に関し、静止した態様で取り付けられた、少なくとも一つの磁石エレメントを含んでいる。この装置の構造もまた非常に複雑であり、磁石の技術に関する問題点が解決されることを前提としており、取扱いが複雑であり、製造に非常に費用がかかる。
【０００８】
さらに、触覚の変化に磁界の技術を使用する、これらの複雑な装置は、高度な特別のＬＥＤ技術と組み合わせられるが、それは、例えば、ＷＯ２０１３／０６８４８２に開示されている。
【０００９】
要するに、現在の従来技術の特徴は、回転ノブを有する、装置を手動で制御するためのこのような制御装置が、一つの触覚プロファイルしか決定しないことにある。したがって、異なる力及びそれぞれの割出戻り止めの数を検知するため、二つの別々のモジュールが同じ機能を果たすために必要とされる。使用時に一つ以上の触覚プロファイルを検出する制御装置がある限り、これらの装置は複雑であり、故障しやすく、多くの場合において使用者に対し過大な要求をすることになる。
【先行技術文献】
【特許文献】
【００１０】
【特許文献１】ＤＥ  １００  ２９  １９１  Ａ１
【００１１】
【特許文献２】ＷＯ  ２０１３／０６８４８２  Ａ２
【発明の概要】
【発明が解決しようとする課題】
【００１２】
したがって、この従来技術を踏まえつつ、本発明の目的は、二つ又はそれ以上の触覚プロファイルの検出を単一の回転モジュールによりすることにあり、複数のモジュールを使用する必要がないようにされるべきであることにある。また、複雑でない電気的・機械的システムを使用することを目的とする。さらに、容易であるが、安全な扱いを、このような制御装置について、使用者ができるようにし、少なくとも二つの触覚プロファイルが提供されることにより、使用者が目的とする設定された割出位置を確認することができるようにされるべきである。
【課題を解決するための手段】
【００１３】
これらの課題は、主たる請求項の特徴により解決される。有利な実施態様は、従属項に記載されている。
【００１４】
装置を手動で制御するための本発明による制御装置は、回転ノブを含んでおり、その回転ノブは、固定ハウジングに配置されており、固定ハウジングは、自動車のセンターコンソール又はある装置の任意のほかの基礎の上に配置されている。回転ノブは、その垂直方向の軸線を中心として、３６０度、回転可能である。
【００１５】
有利には、回転ノブは波状の外リングを有し、使用者は、このリングにより、回転ノブを回転対称に動作させることができる。
【００１６】
さらに、回転ノブは、その上部正面側に配置された、外リングの回転動作には従わない表面を有している。正面側は、例えば、キャップの形状で形成されていてもよく、簡略化のために、これをキャップと呼ぶ。キャップは、使用者が、例えば、垂直方向の軸線の垂直方向に手で押すことにより作動させることができる。
【００１７】
キャップを作動すること、特に押すことにより、回転ノブの内側に設けられたプランジャーが作動され、プランジャーは、押された状態で、例えば、リニアアクチュエーターを作動する接触スイッチに当たる。これを、以下、詳細に説明する。
【００１８】
ハウジングの内部に配置されたキャリアが、回転ノブに、特に好適に波状とされた外リングに連結されている。
【００１９】
有利には、回転ノブ、特に波状の外リングと、ハウジングの内部に配置されたキャリアとの間の連結は、固定的にされている。
【００２０】
回転ノブ、特に波状の外リングを回転することにより、前述のキャリアが同様に回転する。
【００２１】
有利には、キャリアは、三次元的なリングの形状に形成されている。
【００２２】
前述のキャリアは、少なくとも二つの割出プロファイル、すなわち、少なくとも一つの第１の割出プロファイル及び第２の割出プロファイルを有する。
【００２３】
好ましくは、キャリアは、更に少なくとも一つの非割出プロファイルを有する。
【００２４】
前述のプロファイルは、好ましくは、キャリアにおいて、例えば、三次元的なリングにより、異なる高さのレベルに配置される。
【００２５】
底部から見て、まず、第１の割出プロファイルがキャリアの垂直方向の軸線に配置されている。第２の割出プロファイルがその上方に配置されている。少なくとも一つの非割出プロファイルが第２の割出プロファイルと隣接して配置されている。
【００２６】
前述の割出プロファイルは、好ましくは、キャリアの内周にわたり配置されている。
【００２７】
好ましくは、第１の割出プロファイルは鋸歯状のプロファイルである。特に好ましくは、鋸歯状のプロファイルは三角形状をし、垂直方向に見て、下方に突出する角度が鈍角をなしている。
【００２８】
鋸歯状のプロファイルの代りに、同様のプロファイルが第１の割出プロファイルとして設けられていてもよく、例えば、波状のプロファイルが設けられていてもよい。このような幾何学的設計の組合せは、当業者の裁量の範囲内である。
【００２９】
特に好ましい実施態様では、前述の第１の割出プロファイルは、少なくとも６個から９個の鋸歯状又は波状のプロファイル部分を有する。
【００３０】
好ましくは、第２の割出プロファイルは、垂直方向において、第１の割出プロファイルの上方に配置され、鋸歯状又は波状に形成されている。
【００３１】
第２の割出プロファイルは、多数のそのようなプロファイルセグメントを含んでいる。内容を制限するものではないが、多くの用途について、１８個から２４個のプロファイルセグメントの数が好ましいと考えられる。
【００３２】
第２の割出プロファイルにおける多数のプロファイルセグメントにより、平らな接触面又はスキャニング面が形成される。
【００３３】
第２の割出プロファイルのプロファイルセグメントは、第１の割出プロファイルのプロファイルセグメントよりも低く形成される。
【００３４】
キャリアの垂直方向において底部から見ると、いわゆる非割出プロファイルが第２の割出プロファイルと隣接して、好ましくは第２の割出プロファイルの上方又は下方に配置されている。前述の非割出プロファイルは、好ましくは、第１及び第２の割出プロファイルに存在するようなプロファイルセグメントがない平らな表面の形状に形成されている。
【００３５】
第１の割出プロファイル及び第２の割出プロファイルのプロファイルセグメントは、それぞれ、戻り止めの輪郭を形成する。
【００３６】
前述の第１及び第２の割出プロファイルに加えて、キャリアは、一つ又は幾つかの別の割出プロファイル備えていてもよい。これは、主として所期の目的による。
【００３７】
所期の目的に応じて、それぞれの割出プロファイルの相対的な配置が異なっていてもよい。
【００３８】
前述の鋸歯状のセグメント及び／又は波状の高さ及び数が、それぞれの達成可能な割出位置の数を決定する。
【００３９】
好ましくは、プロファイルセグメントの異なる高さのプロファイルが、割出プロファイルと相互に動作する関係に入り、以下に説明される、移動可能な割出装置の作動と協働する回転ノブの作動に用いられるべき力に影響を及ぼす。
【００４０】
少なくとも第１及び第２の割出プロファイルの形状が異なるため、異なる触覚が作り出され、使用者に多様な割出位置の選択及び実現についての情報が与えられる。
【００４１】
第１の割出プロファイル及び第２の割出プロファイルの前述の鋸歯状又は波状に形成する代わりに、当然のことながら、逆の構造、例えば、異なる大きさ及び深さの半球形の凹部を、キャリアの方に選択することもできる。
【００４２】
また、第１の割出プロファイル、第２の割出プロファイル及び非割出プロファイルは、キャリアの外側に配置されていてもよい。さらに、これらのプロファイルは、キャリアの内側及び外側に交互に配置されていてもよい。
【００４３】
本発明による装置は、その内部に、少なくとも一つの第１の移動可能な割出装置及び少なくとも一つの第２の移動可能な割出装置をも有する。これらの移動可能な割出装置は、プランジャーとも呼ばれる。
【００４４】
第１の移動可能な割出装置は、キャリアの第１の割出プロファイルと相互に動作する関係に入るように設計されている。
【００４５】
第２の移動可能な割出装置は、キャリアの第２の割出プロファイル及び非割出プロファイルと相互に動作する関係に入るように設計されている。
【００４６】
特に、第２の移動可能な割出装置は、第２の割出プロファイルの戻り止めの輪郭と接触できるボールを含んでいてもよい。第２の移動可能な割出装置は、特にボール形態をしているが、ばねにより負荷されていてもよく、特に圧縮コイルばね上に配置されていてもよい。この点に関しては、「移動可能」という用語は、このばねによる負荷に言及しているわけではない。この用語については、以下、説明する。
【００４７】
好ましくは、第１の移動可能な割出装置も、ばねによる負荷がされている。特に圧縮コイルばねに連結されていてもよい。
【００４８】
少なくとも二つの移動可能な割出装置は、内ハウジングに配置され、内ハウジングは、プランジャーの下に配置され、プランジャーは回転ノブのキャップの下に設けられている。
【００４９】
内ハウジングは、キャリアと隣接して配置されている。
【００５０】
回転ノブの外側に面する上部の領域は開放されている。これにより、一方において、キャリアの第１の割出プロファイルと第１の移動可能な割出装置との間を効果的に接触でき、他方において、キャリアの第２の割出プロファイルと第２の移動可能な割出装置との間を効果的に接触できる。
【００５１】
第２の移動可能な割出装置の方は、移動可能な構成要素、例えば、ハウジングに配置されており、ハウジングの方は、前述の内ハウジング内で垂直方向に移動可能である。
【００５２】
第２の移動可能な割出装置は、好ましくは、第１の移動可能な割出装置に対し、直角に配置される。
【００５３】
第１の移動可能な割出装置との関係において、第２の移動可能な割出装置は、水平位置をとり、すなわち、回転ノブの垂直方向との関係において、９０度の角度に配置される。
【００５４】
第２の移動可能な割出装置のハウジングは、好ましくは、第１の移動可能な割出装置の上又は上部正面側に取り付けられている。特に圧縮コイルばねにより、ばねによる負荷が加えられたボールの移動可能性は、この取付けにより影響が及ぼされることはない。
【００５５】
好ましくは、第１の移動可能な割出装置は、垂直方向に整列されている。好適に設けられた圧縮コイルばねは、垂直方向に上下に移動可能な基礎の上に載せられている。
【００５６】
このような構成により、第１及び第２の割出装置は、ほぼ下部の位置から上部の位置まで、絶対的な態様のみならず、隣接したキャリアの割出プロファイルの配置との関係においても、垂直方向に移動する。
【００５７】
第１の移動可能な割出装置及び第２の移動可能な割出装置がこのように移動可能な構成であることにより、第１の移動可能な割出装置は、回転及び／又は押圧による制御装置の作動に応じて、キャリアの第１の割出プロファイルと相互に動作する関係に入ることができる。このようなことが生ずることは、第２の移動可能な割出装置がキャリアの第２の割出プロファイルと相互に動作する関係に入るかどうか、及びその程度に関わらない。
【００５８】
第１の移動可能な割出装置及び第２の移動可能な割出装置は、すなわち、垂直方向に移動可能な構成に配置される。この移動可能性を生じさせる機構を、以下、説明する。
【００５９】
第１の移動可能な割出装置及び第２の移動可能な割出装置を入れているケース状の装置は、図示されるように、垂直方向に移動可能であるが、回転方向に固定されており、すなわち、回転ノブの好ましい外リング及びその上に配置されたキャリアとともに、周方向回転方向に移動することがない。
【００６０】
このような構成が意味することは、したがって、移動可能な基礎及び移動可能な構成要素の配置が、上方、言い換えれば、回転ノブのキャップの方向に、位置付けられたとき、第２の移動可能な割出装置が、キャリアの第２の割出プロファイルの戻り止めの輪郭とは接触していないということである。むしろ、第２の移動可能な割出装置は、キャリアの非割出プロファイル上で自由に移動することができる。その結果、第２の移動可能な割出装置は、キャリアの第２の割出プロファイルとは割出接触していない。
【００６１】
第２の移動可能な割出装置のこの配置において、接触が確立されるのは、第１の移動可能な割出装置の正面側とキャリアの第１の割出プロファイルの戻り止めの輪郭との間のみである。
【００６２】
第１割出装置は、この位置で上方に移動するが、キャリアの第１の割出プロファイルの鋸歯状又は波状の戻り止め構造と接触する。
【００６３】
したがって、キャリアを回転ノブの外リングとともに回転することにより、第１の移動可能な割出装置は、鋸歯状又は波状の戻り止めの輪郭をたどる。これにより比較的強い触覚が生じる。
【００６４】
移動可能な構成要素、好ましくはケース状の装置が、第１の移動可能な割出装置及び第２の移動可能な割出装置とともに、回転ノブの垂直方向の軸線に対し、回転ノブの下部の領域に位置付けられているときは、このような配置により得られる効果は、二つの構成要素の割出位置が、キャリアの第１の割出プロファイル及び第２の割出プロファイルに対し、変化するというものである。その結果、触覚も変化する。
【００６５】
この場合、第２の移動可能な割出装置は、キャリアの第２の割出プロファイルの戻り止めの輪郭と接触する。回転ノブの外リングと、つまりは、キャリアとを、その垂直方向の回転軸線を中心として回転することにより、第２の移動可能な割出装置は、圧縮コイルばねにより取り付けられたボールの好ましい実施態様において、キャリアの第２の割出プロファイルの戻り止めの輪郭をたどる。
【００６６】
前述のように、この戻り止めの輪郭が、好ましくは、キャリアの第１の割出プロファイルの戻り止めの輪郭と比較して、より短く、かつ、より滑らかであるため、使用者が感じる触覚が変化する。
【００６７】
最後に述べた構成において、第１の移動可能な割出装置は、キャリアの第１の割出プロファイルとは接触していない。
【００６８】
第１及び第２の移動可能な割出装置を入れているケース状の装置の垂直方向の移動は、リニアアクチュエーターにより行われる。このリニアアクチュエーターは、モータによっても、又は任意のほかの方法で駆動されてもよく、したがって、手動で駆動されてもよい。唯一の重要なファクターは、リニアアクチュエーターにより、制御装置を第１の触覚プロファイルから第２の触覚プロファイルに切り換えることができるということであり、これは、ケース状の装置が移動することによる。
【００６９】
好ましくは、リニアアクチュエーターは、回転ノブのハウジングの内部に位置する接触スイッチにより作動される。好ましくは、これが生じるのは、使用者が回転ノブのキャップを垂直方向に下方に押したときであり、プランジャーもまた下方に押され、これにより接触スイッチとの接触が確立されるときである。
【００７０】
本発明の第２の実施態様では、第１の移動可能な割出装置は、第２の移動可能な割出装置に対し、軸線方向の位置から平行な位置にシフトされる。
【００７１】
推奨されることは、第１の移動可能な割出装置が、キャリアの鋸歯状又は波状の戻り止め構造と接触すべきではないということ、かつ、前述の割出プロファイルの波状の戻り止め構造エレメントの数が、第２の割出プロファイルの戻り止め構造の戻り止め構造エレメントの数とは大きく異ならないということであり、それは、最初に言及した鋸歯状に形成された実施態様におけるようなものである。
【００７２】
前述のほかの実施態様では、第１の移動可能な割出装置は、同様に、第１の割出プロファイルの戻り止めの輪郭と接触することができるボールを有していてもよい。ボールを備えた第１の移動可能な割出装置は、好ましくは、圧縮コイルばねに、ばねによる負荷がされた態様で配置されている。
【００７３】
ボールを備えた第２の移動可能な割出装置もまた、好ましくは、圧縮コイルばねに、ばねが負荷された態様で配置されている。
【００７４】
ボールの代りに、ほかの設計を選択してもよく、それは、摺動又はそれ以外の移動を、キャリアの関連する戻り止め構造をたどることができるものであり、例えば、ばねワイヤ形状又は弓状などがある。これは、全ての実施態様に当てはまる。
【００７５】
この第２の実施態様では、非割出プロファイルは、同様に、キャリアの内面に配置されており、好ましくは第１及び第２の割出プロファイル間に配置される。
【００７６】
第１の移動可能な割出装置の設計は、キャリアの第１の割出プロファイルと相互に動作する関係に入るようにされている。
【００７７】
第２の移動可能な割出装置の設計は、キャリアの第２の割出プロファイル及び非割出プロファイルと相互に動作する関係に入るようにされている。
【００７８】
このような構成により、この実施態様においても、第１及び第２の割出装置は、ほぼ下部の位置から上部の位置まで、絶対的な態様のみならず、隣接したキャリアの割出プロファイルの配置との関係においても、垂直方向に移動する。
【００７９】
第１割出装置及び第２割出装置がこのように移動可能な形状であることから、第１の移動可能な割出装置は、回転及び／又は押圧による制御装置の作動に応じて、キャリアの第１の割出プロファイルと相互に動作する関係に入ることができる。
【００８０】
すなわち、このような構成が意味することは、第２の移動可能な割出装置が、キャリアの第２の割出プロファイルの戻り止めの輪郭とは接触していないということである。言い換えれば、第２の移動可能な割出装置は、キャリアの非割出プロファイル上で自由に移動することができる。その結果、第２の移動可能な割出装置は、キャリアの第２の割出プロファイルとは割出接触していない。
【００８１】
このような第２の移動可能な割出装置の配置において、接触が確立されるのは、第１の移動可能な割出装置の正面側とキャリアの第１の割出プロファイルの戻り止めの輪郭との間のみである。
【００８２】
第１割出装置は、この位置で上方に移動され、キャリアの第１の割出プロファイルの波状の戻り止め構造と接触する。
【００８３】
したがって、キャリアを回転ノブの外リングとともに回転することにより、第１の移動可能な割出装置は、前述の波状の戻り止めの輪郭をたどる。
【００８４】
移動可能な構成要素、好ましくは、第１の移動可能な割出装置及び第２の移動可能な割出装置を備えたケース状の装置が、回転ノブの垂直方向の軸線において、回転ノブの下部の領域に位置決めされているときは、この配置が有する効果として、二つの構成要素の割出位置が、キャリアの第１の割出プロファイル及び第２の割出プロファイルと比較して変化する。その結果、触覚も変化する。
【００８５】
この場合には、第２の移動可能な割出装置は、キャリアの第２の割出プロファイルの戻り止めの輪郭と接触する。回転ノブの外リングと、つまりは、キャリアとを、その垂直方向の回転軸線を中心として回転することにより、圧縮コイルばねに取り付けられたボールの好ましい実施態様の第２の移動可能な割出装置は、キャリアの第２の割出プロファイルの戻り止めの輪郭をたどる。
【００８６】
例えば、第２の実施態様の更なる設計としては、更に別の非割出プロファイルがキャリアの内面に配置されるようにされていてもよい。この場合、好ましくは、プランジャーの方向での垂直方向において、第２の移動可能な割出装置用のための第２非割出プロファイルは、キャリアの内面の頂部に配置され、その下には第２の割出プロファイルがあり、その下には第１の割出プロファイルが、その下には、さらに、第１非割出プロファイルがある。
【００８７】
この場合においても、第１の割出プロファイルが示すプロファイル構造エレメントの数が、第２の割出プロファイルの場合よりも少なく、これにより、制御装置の作動に応じて異なる触覚を伴う。
【００８８】
このようにして、移動可能な構成要素は、装置の内側に配置され、その装置の内側には、第１の移動可能な割出装置及び第２の移動可能な割出装置が第２の実施態様のように入れられている。先ほど言及した視点において、装置は第１の移動可能な割出装置を有し、その下に第２の移動可能な割出装置が設けられ、それぞれ、一つのボールを備え、そのボールはキャリアの関連する戻り止め構造に沿うことができるものであり、これらの移動可能な割出装置は、両方とも、ばねにより作動する内ハウジングに配置されている。
【００８９】
プランジャーと、つまりは、キャリアとを、その垂直方向の回転軸線を中心として、回転及び／又は押圧し、回転ノブを作動することにより、第１の移動可能な割出装置は、キャリアの第１の割出プロファイルと相互に動作する関係に入る。回転ノブの外リングと、つまりは、キャリアとを、その垂直方向の回転軸線を中心として、回転することにより、第１の移動可能な割出装置は、圧縮コイルばねにより取り付けられたボールを備えた好ましい実施態様において、キャリアの第１の割出プロファイルの戻り止めの輪郭をたどる。
【００９０】
そのとき、第２の移動可能な割出装置は、キャリアの第２非割出プロファイルの高さにあり、このようにして非割出状態にある。
【００９１】
プランジャーと、つまりは、キャリアとを、その垂直方向の回転軸線を中心として、回転及び／又は押圧し、回転ノブを更に作動することにより、第２の移動可能な割出装置がキャリアの第２の割出プロファイルと相互に動作する関係に入る。回転ノブの外リングと、つまりは、キャリアとを、その垂直方向の回転軸線を中心として回転することにより、第２の移動可能な割出装置は、圧縮コイルばねにより取り付けられたボールを備えた好ましい実施態様において、キャリアの第２の割出プロファイルの戻り止めの輪郭をたどる。
【００９２】
そのとき、第１の移動可能な割出装置は、キャリアの第１非割出プロファイルの高さにあり、このようにして、非割出状態にある。
【００９３】
第２の実施態様のこれらの二つの部分的な構成の作動モードは、最初に説明した実施態様の作動モードとほぼ同じであり、その説明をこの実施態様にも用いることができる。
【００９４】
更なる第３の実施態様は、上述した二つの実施態様の一種の変形である。
【００９５】
この実施態様は、例えば、第１の実施態様と同様に、第１の移動可能な割出装置と鋸歯状の第１の割出プロファイルとをキャリア上に備える。しかしながら、さらに、少なくとも一つの第３の割出プロファイルが、第２の割出プロファイルのほかに、キャリアに設けられている。
【００９６】
選択された説明によれば、この第３の割出プロファイルは、最初に説明した実施態様によるキャリアの第１の割出プロファイルと第２の割出プロファイルとの間に配置されている。
【００９７】
第２及び第３の割出プロファイルは、好ましくは波状に形成されており、これらのプロファイルは、相互に比較すると、波状のセグメントの数が異なるが、少なくとも、好ましくは、波状のセグメントの数は、第１の割出プロファイルの鋸歯状のセグメントの数と比べて、多くされている。特に、第２の割出プロファイルは、鋸歯状のプロファイルと波状プロファイルとを構造的に組み合わせたものでもよい。
【００９８】
第１の実施態様と関連して説明した第２の移動可能な割出装置は、第２及び第３の割出プロファイルと関連し、回転ノブを上述したように作動したとき、第１又は第２の割出プロファイルのいずれかをたどる。
【００９９】
また、これに関し、非割出プロファイルが設けられており、好ましくは、垂直方向の視点において、第３の割出プロファイルと回転ノブのプランジャーとの間に配置される。
【０１００】
内ハウジングは、好ましくは、この実施態様におけるように、すなわち、三つの割出プロファイル位置にわたり、移動する。
【０１０１】
第１位置では、第１の移動可能な割出装置は、キャリアの第１の割出プロファイルと接触している。そのとき、第２の移動可能な割出装置は、非割出位置にある。
【０１０２】
第２位置では、第１の移動可能な割出装置は非割出位置にある。第２の移動可能な割出装置は、第２の割出プロファイルと接触している。
【０１０３】
第３位置では、第１の移動可能な割出装置は非割出位置にある。第２の移動可能な割出装置は第３の割出プロファイルと接触している。
【０１０４】
この実施態様の作動モードは、最初に説明した実施態様とほぼ同じである。そのため、その説明をこの実施態様にも用いることができる。
【０１０５】
また、これらの前述の実施態様とは別の組合せも可能である。
【０１０６】
例えば、少なくとも一つの非割出プロファイルが、前述かつ後述する実施態様とは異なり、割出プロファイルの外面に配置されるのではなく、割出プロファイル間に配置される。これは、一つ以上の非割出プロファイルが使用される場合にも当てはまる。
【０１０７】
当業者は、制御装置の目的とする使い方に応じて、配置を適切に選択する。その結果、二つ以上の割出プロファイルを使用することもできる。これは、意図した触覚に応じて、それぞれ好ましい輪郭を選択するのにも適用される。
【０１０８】
更に有利な実施態様が従属項に記載されている。
【０１０９】
利点及び有用性が、以下の説明において、次の図面と関連して明らかにされる。
【図面の簡単な説明】
【０１１０】
【図１】図１は、本発明の一実施態様による制御装置の外形の斜視図である。
【図２】図２は、本発明による制御装置の、本発明の実施態様による透視断面図である。
【図３】図３は、割出装置の垂直方向の軸線を中心とした回転移動及び垂直方向の動きを示す、本発明による制御装置の透視図である。
【図４】図４は、割出プロファイルを備えたキャリアを、頂部から見たものである。
【図５】図５は、本発明の実施態様による、図４のキャリア及び割出プロファイルを、底部から見たものである。
【図６】図６は、移動可能な構成要素を示し、第１の移動可能な割出装置及び第２の移動可能な割出装置がその内部に入れられている。
【図７】図７は、本発明による制御装置を通る垂直方向の断面の透視図であり、第１割出位置におけるものである。
【図８】図８は、本発明による制御装置を通る垂直方向の断面の透視図であり、第２割出位置におけるものである。
【図９】図９は、本発明による制御装置を通る垂直方向の断面の透視図であり、併せてリニアアクチュエーターの配置及び機能的な原理を示す。
【図１０】図１０は、本発明による制御装置を示す透視断面図であり、本発明の第２の実施態様の一例であり、第１の移動可能な割出装置が、割出位置にある。
【図１１】図１１は、本発明による制御装置を示す透視断面図であり、本発明の第２の実施態様の一例であり、第１の移動可能な割出装置が、非割出位置にある。
【図１２】図１２は、第２の実施態様による移動可能な構成要素を示しており、第１の移動可能な割出装置及び第２の移動可能な割出装置がその内部に入れられている。
【図１３】図１３は、本発明の第２の実施態様における、この実施態様によるキャリア及び割出プロファイルを底部から見たものである。
【図１４】図１４は、第１の移動可能な割出装置及びキャリア上の鋸歯状の第１の割出プロファイル並びに第２の割出プロファイルのほかにキャリア上の少なくとも一つの第３の割出プロファイルを備えたキャリアを示しており、更なる実施態様におけるものである。
【発明を実施するための形態】
【０１１１】
図１は、本発明による装置を手動で制御するための制御装置１を示す。制御装置１は、回転ノブ２を備え、回転ノブ２は固定ハウジング２２に配置され、固定ハウジング２２の方は、自動車のセンターコンソール又はある装置のほかの基礎の上に配置されている。回転ノブは、その垂直方向の軸線を中心として、３６０度、回転可能である。
【０１１２】
有利には、回転ノブは波状の外リング２を有し、これにより、使用者は、回転ノブを回転対称の態様において動かすことができる。
【０１１３】
また、回転ノブは、上部正面側に配置された表面２１を有しており、表面２１は、外リングの回転移動には従わない。この例示の実施態様においては、正面側は、キャップの形状に形成されている。これは、使用者が、例えば、垂直方向の軸線の垂直方向に、手動で押すことにより作動できる。
【０１１４】
図２及び図９から分かるように、キャップを、特に押して、作動させることにより、回転ノブの内側に配置されたプランジャー７が作動され、プランジャー７は、押された状態において、接触スイッチ１３に当たり、例えば、線型アクチュエータを作動させる。これを、以下、更に詳細に説明する。
【０１１５】
ハウジングの内部に配置されたキャリア３は、回転ノブ２に、特に、好ましくは波状の外リングに、連結されている。
【０１１６】
有利には、回転ノブと、特に波状の外リングと、ハウジングの内部に配置されたキャリアとの間の連結は、固定的に形成されている。
【０１１７】
回転ノブ２を、特に波状の外リングを、回転することにより、前述のキャリアが同様に回転する。
【０１１８】
キャリア３は、三次元的なリングの形状に形成されている。
【０１１９】
図３は、前述の構成を示し、割出装置の回転及び垂直移動の配置を示している。
【０１２０】
図４から分かるように、キャリア３は、少なくとも二つの割出プロファイル、すなわち、少なくとも一つの第１の割出プロファイル４及び第２の割出プロファイル５を有する。
【０１２１】
また、キャリア３は、非割出プロファイル６を有する。
【０１２２】
前述のプロファイルは、好ましくは、キャリアの異なる高さレベルに配置されている。
【０１２３】
底部から見たとき、まず、第１の割出プロファイル４が、キャリアの垂直方向の軸線２０を中心として、配置されている。第２の割出プロファイル５は、その上方に、配置されている。非割出プロファイル６は、第２の割出プロファイルの頂部に配置されている。
【０１２４】
前述の割出プロファイルは、キャリアの内周にわたり、配置されている。
【０１２５】
第１の割出プロファイルは、鋸歯状のプロファイル４２を有する。鋸歯状のプロファイルは三角形状であり、垂直方向の視点において下方に延びる角は、鈍角又は平らな角度をなしている。
【０１２６】
前述の第１の割出プロファイルは、このような鋸歯状のプロファイルの部分を、約８個、有する。
【０１２７】
第２の割出プロファイル５は、垂直方向の視点において、第１の割出プロファイル４の頂部に配置されており、波状に形成された５２を有する。
【０１２８】
第２の割出プロファイルは、多数のこのようなプロファイルセグメント５２を含んでいる。
【０１２９】
第２の割出プロファイル５のプロファイルセグメント５２は、第１の割出プロファイル４のプロファイルセグメント４２よりも低く形成されている。
【０１３０】
垂直方向で底部から見た場合、いわゆる非割出プロファイル６が、第２の割出プロファイルの上方に、配置されている。非割出プロファイルは、第１及び第２の割出プロファイルに存在するようなプロファイルセグメントがない平らな表面の形状に形成されている。
【０１３１】
第１の割出プロファイル及び第２の割出プロファイルのプロファイルセグメントは、それぞれ、戻り止めの輪郭４１及び５１の形状とされている。
【０１３２】
前述の鋸歯状のセグメント及び／又は波状に形成されたものの高さ及び数が、それぞれの達成可能な割出位置の数を決定する。プロファイルセグメントの異なる高さのプロファイルも、移動可能な割出装置８及び９の作動と協働する回転ノブを作動するために適用されるべき力にも、影響を及ぼす。
【０１３３】
少なくとも第１及び第２の割出プロファイルの形状が異なることにより、異なる触覚が生じ、使用者に対し、様々な割出位置の選択及び実現についての情報を提供する。
【０１３４】
図５は、図４で説明したキャリア３を、本発明による制御装置の取付け方向から、すなわち、１８０度、回転したものを示している。
【０１３５】
図２、図３、図６及び図７によれば、本発明による装置は、少なくとも一つの第１の移動可能な割出装置８及び少なくとも一つの第２の移動可能な割出装置９をもその内部に有する。これらの移動可能な割出装置は、プランジャーとも呼ばれる。
【０１３６】
図６は、前述の割出装置を拡大したものを示している。
【０１３７】
第１の移動可能な割出装置８は、キャリア３の第１の割出プロファイル４と相互に動作する関係に入るように、設計されている。
【０１３８】
第２の移動可能な割出装置９は、キャリア３の第２の割出プロファイル５及び非割出プロファイル６と相互に動作する関係に入るように、設計されている。
【０１３９】
第２の移動可能な割出装置９は、ボールを有しており、そのボールは、第２の割出プロファイル５の戻り止めの輪郭５２と接触することができる。第２の移動可能な割出装置は、ボールの形状で形成され、ばねにより負荷されており、圧縮コイルばねに配置されている。
【０１４０】
第１の移動可能な割出装置８は、ばねにより負荷されており、圧縮コイルばね１１に連結されている。
【０１４１】
二つの移動可能な割出装置８及び９は、内ハウジング１０１内に配置されており、内ハウジング１０１は、回転ノブ２のキャップ２１の下に設けられたプランジャー７の下方に位置し、回転ノブの外側に面する上部の領域において開放されており、このようにして、一方においては、キャリア３の第１の割出プロファイル４と第１の移動可能な割出装置８との間を、他方においては、キャリア３の第２の割出プロファイル５と第２の移動可能な割出装置９との間を、効果的に接触させることができる。
【０１４２】
第２の移動可能な割出装置９は、移動可能なハウジング１０に配置され、ハウジング１０は、前述の内ハウジング１０１内において、垂直方向に移動可能である。
【０１４３】
第２の移動可能な割出装置は、この例では、第１の移動可能な割出装置に対し、直角に配置されている（図６）。
【０１４４】
第１の移動可能な割出装置との関係において、第２の移動可能な割出装置は、水平な位置をとり、すなわち、回転ノブの垂直方向の軸線に対し、９０度の角度に配置されている。
【０１４５】
第２の移動可能な割出装置９のハウジング１０は、第１の移動可能な割出装置８の上又は上部正面側に取り付けられている。ボール９０の移動可能性については、特に圧縮コイルばねにより、負荷が加えられているときは、このような取付けによる影響を及ぼされることはない。
【０１４６】
第１の移動可能な割出装置８は、垂直方向に整列している。圧縮コイルばね１１は、基礎１０２に載止されており、垂直方向に上下方向に移動可能である（図３及び図５）。
【０１４７】
第１割出装置８及び第２割出装置９がこのように移動可能な構成とされていることから、第１の移動可能な割出装置８は、回転及び／又は押圧による制御装置の作動に応じて、キャリア３の第１の割出プロファイル４と相互に動作する関係に入ることができる。このようなことが生ずることは、第２の移動可能な割出装置９が、キャリア３の第２割出装置５と相互に動作する関係に入っているかどうか、及びその程度には関わらない。
【０１４８】
図７は、第１位置を示しており、この位置において、配置は上方、すなわち回転ノブ２のキャップ２１の方向に位置付けられており、第２の移動可能な割出装置９は、キャリア３の第２の割出プロファイル５の戻り止めの輪郭５２とは接触していない。むしろ、第２の移動可能な割出装置９は、キャリア３の非割出プロファイル６上において、自由に移動することができる。その結果、第２の移動可能な割出装置９は、キャリア３の第２の割出プロファイル５と割出接触していない。
【０１４９】
この第２の移動可能な割出装置９の配置においては、第１の移動可能な割出装置８の正面側と、キャリア３の第１の割出プロファイル４の戻り止めの輪郭４１との間において、接触が確立される。
【０１５０】
ケース状の装置１０は、第１の移動可能な割出装置８及び第２の移動可能な割出装置９を受けており、垂直方向に移動可能であるが（図３に示される。）、回転方向は固定されており、すなわち、回転ノブの好ましい外リング２及びこのリングに配置されたキャリア３とともに周方向の回転方向に動くことはない。
【０１５１】
第１割出装置８は、この位置で上方に移動しているが、キャリア３の第１の割出プロファイル４の鋸歯状の戻り止め構造４１と接触している。したがって、キャリア３を回転ノブ２の外リングとともに回すことにより、第１の移動可能な割出装置８が鋸歯状の戻り止め構造４１をたどる。これにより、比較的、強い触覚が得られる。
【０１５２】
図８は、配置の第２位置を示している。このとき、ケース状の装置１０は、第１の移動可能な割出装置８及び第２の移動可能な割出装置９とともに、回転ノブ２の垂直方向の軸線において、制御装置の下部の領域に位置している。このような構成による効果は、二つの構成要素の割出位置が、キャリア３の第１の割出プロファイル４及び第２の割出プロファイル５との関係において、変化するというものである。その結果、触覚が同様に変化する。
【０１５３】
このとき、第２の移動可能な割出装置９は、キャリアの第２割出装置の戻り止めの輪郭５２と接触する。
【０１５４】
回転ノブの外リング２、つまりは、キャリア３を、その垂直方向の回転軸線２０を中心として回転することにより、ボール９０を備えた第２の移動可能な割出装置９は、キャリア３の第２の割出プロファイル５の戻り止めの輪郭５１をたどる。この戻り止めの輪郭５１が、好ましくは、キャリア３の第１の割出プロファイル４の戻り止めの輪郭４１と比較して、より短く、かつ、より滑らかであることから、使用者が感じる触覚が変化する。
【０１５５】
最後に言及した図８による構成において、第１の移動可能な割出装置８は、キャリア３の第１の割出プロファイル４とは接触していない。
【０１５６】
図９から分かるように、第１及び第２の移動可能な割出装置を入れているケース状の装置の垂直方向への移動は、リニアアクチュエーター１４により実行される。リニアアクチュエーター１４の駆動は、モータによることも、又は任意のほかの方法によることもできる。唯一の重要なファクターは、リニアアクチュエーター１４により、制御装置を、第１の触覚プロファイルから第２の触覚プロファイルに切り換えることができるということであり、それは、ケース状の装置１０の移動による。
【０１５７】
好ましくは、リニアアクチュエーターの作動は、回転ノブのハウジングの内部に位置する接触スイッチ１３による。好ましくは、このようなことが生じるのは、使用者が回転ノブ２のキャップ２１を垂直方向において下方に押し、これにより、プランジャー７もまた下方に押され、接触スイッチ１３との接触が確立されるときである。
【０１５８】
図１０は、本発明の第２の実施態様の一例を示している。制御装置の基礎的な構造は、以下、特に言及がない限り、図２及び図９の実施態様の制御装置の基礎的な構造と基本的に一致する。
【０１５９】
回転ノブ２の作動は、プランジャー、つまりは、キャリア３をその垂直方向の回転軸線において回転させ、及び／又は押すことによるが、それにより、第１の移動可能な割出装置８、８０は、キャリア３の第１の割出プロファイル４（図示していない。）と相互に動作する関係に入る。回転ノブの外リング、つまりは、キャリアをその垂直方向の回転軸線において回転することにより、圧縮コイルばね１１により取り付けられたボール８０の実施態様における第１の移動可能な割出装置８は、キャリア３の第１の割出プロファイル４の波状の戻り止めの輪郭４１（図示していない。）をたどる。
【０１６０】
このようなことが生ずることは、第２の移動可能な割出装置９がキャリア３の第２の割出プロファイル５と相互に動作する関係に入るかどうか、及びその程度に関わらない。
【０１６１】
第２の移動可能な割出装置９は、このとき、この例示の実施態様においては、キャリア３の第２非割出プロファイル６の高さにあり、すなわち、非割出状態にある。
【０１６２】
図１１は、本発明による制御装置の透視断面図であり、本発明の第２の実施態様のこの一例によるものであり、このとき、第１の移動可能な割出装置は、非割出位置にある。
【０１６３】
プランジャー７、つまりは、キャリア３をもその垂直方向の回転軸線において回転させ、及び／又は押すことにより、回転ノブ２を更に作動すると、第２の移動可能な割出装置９が、キャリアの第２の割出プロファイル５と相互に動作する関係に入る。回転ノブ２の外リング、つまりは、キャリア３をその垂直方向の回転軸線２０（図示していない。）において回転することにより、圧縮ばね１２により取り付けられたボール９０に係る実施態様における第２の移動可能な割出装置９は、キャリア３の第２の割出プロファイル５の戻り止めの輪郭５１（図示していない。）をたどる。
【０１６４】
第１の移動可能な割出装置８は、このとき、この例示の実施態様においては、キャリアの第１非割出プロファイル６００（図示していない。）の高さにあり、すなわち、非割出状態にある。
【０１６５】
この戻り止め構造５１は、好ましくは、キャリア３の第１の割出プロファイル４の戻り止め構造４１と比較して、より短く、かつ、より滑らかであることから、使用者に異なる触覚が生じる。
【０１６６】
図１２は、移動可能な構成要素を示しており、それは、第１の移動可能な割出装置８、８０及び第２の移動可能な割出装置９、９０がその中に入れられている第２の実施態様によるものである。
【０１６７】
第１の移動可能な割出装置８の設計は、キャリア３の第１の割出プロファイル４及び第１非割出プロファイル６００（図示していない。）（この例において、このように呼ぶ。）と相互に動作する関係に入るようにされている。
【０１６８】
第２の移動可能な割出装置９の設計は、キャリア３の第２の割出プロファイル５及び第２非割出プロファイル６（図示していない。）（この例において、このように呼ぶ。）と相互に動作する関係に入るようにされている。
【０１６９】
第２の移動可能な割出装置９は、ボール９０を有しており、そのボールは、第２の割出プロファイル５（図示していない。）の戻り止めの輪郭５１と接触している。第２の移動可能な割出装置９は、ボール９０の形状において、圧縮コイルばね１２に、ばねにより負荷された態様で配置されている。
【０１７０】
第１の移動可能な割出装置８は、圧縮コイルばね１１に、ばねにより負荷された態様で取り付けられ、連結されている。
【０１７１】
二つの移動可能な割出装置８及び９は、内ハウジング１０１に配置されており、内ハウジング１０１は、回転ノブ２のキャップ２１の下に設けられたプランジャー７に位置しており、回転ノブの外側に面する上部の領域において開放され、このようにして、キャリア３の第１の割出プロファイル４と第１の移動可能な割出装置８との間を効果的に接触することができる一方、キャリアの第２の割出プロファイル５と第２の移動可能な割出装置９との間を効果的に接触することができる（図１０、１１に示される。）。
【０１７２】
第２の移動可能な割出装置９の方は、移動可能なハウジング１０に配置されて、このハウジング１０の方は、前述の内ハウジング１０１の内部において、垂直方向に移動可能とされている（図１０、１１に示される。）。
【０１７３】
この例において、第２の移動可能な割出装置９、９０は、第１の移動可能な割出装置８、８０に対し、多かれ少なかれ、平行に配置されている（図１０、１１に示される。）。
【０１７４】
図１３は、底部から見た、本発明の第２の実施態様における、キャリア３及びこの実施態様における割出プロファイルである。
【０１７５】
キャリア３は、二つの波状の割出プロファイル４、５を有し、これらは、平行に配置された第１及び第２の割出装置と接触するためのものである。
【０１７６】
機能から見れば、シフトされた波状の割出プロファイル４、４１は、図４、５における鋸歯状の割出プロファイル４、４１の機能を果たしている。
【０１７７】
波状の割出プロファイル４、４１は、図４、図５における鋸歯状の割出プロファイル４、４１と比較すると、プロファイルエレメントの数が多く、これにより触覚が滑らかになる。
【０１７８】
また、キャリア３は、第２非割出プロファイル６（この例において、このように呼ぶ。）及び第１非割出プロファイル６００（この例において、このように呼ぶ。）を有する。
【０１７９】
これらのプロファイルは、キャリアにおいて、異なる高さのレベルに、配置されている。
【０１８０】
底部から見たとき、第１非割出プロファイル６００（この例において、このように呼ぶ。）は、まず、キャリアの垂直方向の軸線２０において、第１の割出プロファイル４の上方に、配置されている。第２の割出プロファイル５は、上方に位置している。第２非割出プロファイル６（この例において、このように呼ぶ。）は、第２の割出プロファイル５の頂部に配置されている。
【０１８１】
第１割出装置８及び第２割出装置９がこのように移動可能な構成をしていることから、第１の移動可能な割出装置８は、回転及び／又は押圧による制御装置の作動に応じて、キャリア３の第１の割出プロファイル４と相互に動作する関係に入ることができる。このようなことが生じることは、第２の移動可能な割出装置９がキャリア３の第２割出装置５と相互に動作する関係に入るかどうか、及びその程度には関わらない。
【０１８２】
第１割出装置８は、キャリア３の第１の割出プロファイル４の波状の戻り止め構造４１と接触する。したがって、キャリア３を回転ノブ２の外リングとともに回転することにより、ボール８０を備えた第１の移動可能な割出装置８が波状の戻り止めプロファイル４１をたどる。
【０１８３】
回転ノブの外リング２、つまりは、キャリア３をその垂直方向の回転軸線２０において回転することにより、ボール９０を備えた第２の移動可能な割出装置９が、キャリア３の第２の割出プロファイル５の戻り止め構造５１をたどる。
【０１８４】
これに関し、図１０、図１１及び図１２に関する説明を参照されたい。
【０１８５】
図１４は、第１の移動可能な割出装置、鋸歯状の第１の割出プロファイル及び第２の割出プロファイルと併せて、少なくとも一つの第３の割出プロファイルが設けられた、第３の実施態様におけるキャリアを示している。
【０１８６】
この実施態様は、第１の実施態様と同様、キャリア３において、第１の移動可能な割出装置８と、鋸歯状４１の第１の割出プロファイル４とを備えている。しかし、第２の割出プロファイル５と併せて、第３の割出プロファイル６０が、キャリア３に存在する。選択された説明によれば、この第３の割出プロファイルは、最初に説明した実施態様における、キャリアの第１の割出プロファイルと第２の割出プロファイルとの間に配置されている。
【０１８７】
両割出プロファイル５、６０は、戻り止めの輪郭セグメント５２、６２を備えた波状の戻り止めの輪郭５１、６１を有し、これらの輪郭は、互いに対し、異なる数の戻り止めの輪郭セグメント５２、６２を有しており、少なくとも、好ましくは、戻り止めの輪郭セグメント５２、６２の数が、第１の割出プロファイル４の鋸歯状の戻り止めの輪郭セグメント４２の数と比較して多い。
【０１８８】
第２の移動可能な割出装置９は、第１の実施態様と関連して説明したように、第２の割出プロファイル５及び第３の割出プロファイル６０と関連し、回転ノブを既に説明したように作動したとき、第１の割出プロファイル４又は第２の割出プロファイル５のいずれかをたどる。
【０１８９】
また、これに関し、非割出プロファイルが設けられている。この非割出プロファイルは、第２の割出プロファイル５と第３の割出プロファイル６０との間に配置されているが、第１の割出プロファイル４と第２の割出プロファイル５との間に配置されていてもよい。
【０１９０】
第１位置において、第１の移動可能な割出装置８（図示していない。）は、キャリア３の第１の割出プロファイル４と接触している。第２移動可能割出位置９（図示していない。）は、このとき、非割出位置６にある。
【０１９１】
第２位置において、第１の移動可能な割出装置８（図示していない。）は、非割出位置６にある。第２の移動可能な割出装置９（図示していない。）は、第２の割出プロファイル５と接触している。
【０１９２】
第３位置において、第１の移動可能な割出装置８（図示していない。）は、非割出位置６にある。第２の移動可能な割出装置９（図示していない。）は、第３の割出プロファイル６０と接触している。
【符号の説明】
【０１９３】
１      制御装置
２      回転ノブ
３      キャリア
４      第１の割出プロファイル
５      第２の割出プロファイル
６      非割出プロファイル
７      プランジャー
８      第１の移動可能な割出装置
９      第２の移動可能な割出装置
１０    垂直方向に移動可能な構成要素
１１    ばね配置
１２    ばね配置
１３    接触スイッチ
１４    リニアアクチュエーター
１５    ソケット
１６    モータ
２０    垂直方向の軸線
２１    キャップ
２２    固定ハウジング
４１    戻り止めの輪郭
４２    戻り止めの輪郭セグメント
５１    戻り止めの輪郭
５２    戻り止めの輪郭セグメント
６０    割出プロファイル
６１    戻り止めの輪郭
６２    戻り止めの輪郭セグメント
８０    ボール
９０    ボール
１０１  内ハウジング
１０２  垂直方向に移動可能な基礎
６００  別の非割出プロファイル
【図１】
2016136389.tif 000003
【図２】
2016136389.tif 000004
【図３】
2016136389.tif 000005
【図４】
2016136389.tif 000006
【図５】
2016136389.tif 000007
【図６】
2016136389.tif 000008
【図７】
2016136389.tif 000009
【図８】
2016136389.tif 000010
【図９】
2016136389.tif 000011
【図１０】
2016136389.tif 000012
【図１１】
2016136389.tif 000013
【図１２】
2016136389.tif 000014
【図１３】
2016136389.tif 000015
【図１４】
2016136389.tif 000016
【外国語明細書】
2016136389000001.pdf